【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
少なくとも１つの流体輸送ナノチャネル、及び各流体輸送ナノチャネルの第１セグメント及び第２セグメントを規定する為に、前記少なくとも１つの流体輸送ナノチャネルの末端部の間の間隔に存在する交差点において、前記流体輸送ナノチャネルのセグメントの対向している側における２つの浅いセグメントを有する、少なくとも１つの流体ナノチャネルと、
各浅いセグメントに伝達する第１及び第２電極と、
前記流体輸送ナノチャネルの進入末端部に伝達する第１電極と、
前記流体輸送ナノチャネルの退出末端部に伝達する第２電極と、
制御して巨大分子を注入、獲得、及び輸送する為に、前記電極の動作を制御するように構成される回路であって、動作中に、前記第１及び第２セグメントは、巨大分子が平衡になるか又は低速で移動するように、前記巨大分子を捕獲する為にかなり異なる場の強さを有することができる、前記回路と、を備える、
ナノ流体の分析装置。
【請求項２】
前記浅いセグメントは、より深いセグメントに併合し、前記流体輸送ナノチャネルに直交し又は並列である、
請求項１のナノ流体の分析装置。
【請求項３】
前記少なくとも１つの流体輸送ナノチャネルにおける、流体分析のチップ及びＤＮＡ、ＲＮＡ、ペプチド、たんぱく質、又は他の生物学の分子、又は合成巨大分子を規定する為に、基材にシールされるカバー、を更に備える、
請求項１又は２の何れかのナノ流体の分析装置。
【請求項４】
少なくとも１つの流体輸送ナノチャネルと、前記輸送ナノチャネルの第１セグメント及び第２セグメントを規定する為に、前記少なくとも１つの輸送チャネルにおける対向する第１及び第２末端部の間の間隔に存在する、前記輸送ナノチャネルを有する交差点において、前記少なくとも１つの流体輸送ナノチャネルの対向する側に当たっている、２つの統合された横断電極とを有しており、動作中に、前記第１及び第２セグメントは、かなり異なる場の強さを有する、装置。
【請求項５】
前記かなり異なる場の強さを生成し、前記流体輸送ナノチャネル中、及び前記流体輸送ナノチャネルを介して、制御して巨大分子を注入、捕獲、及び輸送する為に、前記流体輸送ナノチャネルの前記第１及び第２末端部、及び、前記横断電極に、電圧を選択的に印加するように構成された、前記基材に少なくとも部分的に存在する、及び／又は前記基材に伝達する回路、を更に備える、請求項４の装置。
【請求項６】
少なくとも１つの流体輸送ナノチャネルを有している装置であって、前記少なくとも１つの流体輸送ナノチャネルは、（ｉ）前記流体輸送ナノチャネルを横切って互いに対向する第１及び第２セグメントを有し、各電極に各々伝達する少なくとも１つの流体ナノチャネル、又は、（ｉｉ）前記少なくとも１つの流体輸送ナノチャネルの対向している側に当っている２つの統合された横断電極、の一方を有する交差点を有しており、
前記交差点は、前記各流体輸送ナノチャネルの第１セグメント及び第２セグメントを規定する為に、前記少なくとも１つの流体輸送ナノチャネルにおける対向する末端部の間の間隔に存在する、前記装置と、
前記少なくとも１つの流体輸送ナノチャネルを介して、巨大分子を選択的に捕獲及び輸送する為に、電圧を前記電極に印加するように構成された電源を有する回路と、
を備えるナノ流体分析システム。
【請求項７】
前記装置は、前記流体輸送ナノチャネルのセグメントを横切って互いに対向する第１及び第２セグメントを有しており、各電極に各々伝達する、前記少なくとも１つの流体ナノチャネルを備え、前記第１及び第２セグメントは、浅いセグメントであり、あるいは幅広のセグメントである、
請求項６のナノ流体分析システム。
【請求項８】
前記装置は、各交差点と組み合う複数の並列な流体輸送ナノチャネルを備える、
請求項６又は７の何れかのナノ流体分析システム。
【請求項９】
前記装置は、長軸方向に離れて間隔があいている複数の交差点を有する、少なくとも１つの流体輸送ナノチャネルを備え、各交差点は、（ｉ）前記流体輸送ナノチャネルを横切って互いに対向する第１及び第２セグメントを有し、各電極に各々伝達する流体ナノチャネル、又は、（ｉｉ）前記少なくとも１つの流体輸送ナノチャネルの対向している側に当っている２つの統合された横断電極、の一方を有している、
請求項６乃至８の何れかのナノ流体分析システム。
【請求項１０】
装置に少なくとも１つの流体輸送ナノチャネルを提供するステップであり、前記流体輸送ナノチャネルは、（ｉ）前記輸送チャネルと流体連通する前記流体輸送ナノチャネルのセグメントを横切って互いに対向する第１及び第２セグメントを有し、各電極に各々伝達する少なくとも１つの流体ナノチャネル、又は、（ｉｉ）前記少なくとも１つの流体輸送ナノチャネルの対向している側に当っている第１及び第２の統合された横断電極、の一方を含む交差点を有する、ステップと、
前記流体輸送チャネルにおいて巨大分子を注入又は捕獲する為に、前記第１及び第２セグメント又は前記第１及び第２横断電極に、電気的にバイアスを印加するステップと、
全てのバイアスを電気的に取り除くことにより、前記巨大分子が平衡な配座において緩むステップと、
前記ナノチャネルを介する前記巨大分子の移行を制御する前記輸送ナノチャネルにのみバイアスを電気的に印加するステップと、
を含む巨大分子の分析方法。
【請求項１１】
前記装置は、前記第１及び第２セグメントを有する前記少なくとも１つの流体ナノチャネルを備え、前記第１及び第２セグメントは、幅広、浅いセグメントであり、
あるいは、前記浅いセグメントは、より深いセグメントに併合し、前記流体輸送ナノチャネルに直交し又は並列である、
請求項１０の巨大分子の分析方法。
【請求項１２】
前記装置は、流体分析のチップであり、前記巨大分子は、ＤＮＡ、ＲＮＡ、ペプチド、たんぱく質、又は他の生物学の分子、又は合成巨大分子である、
請求項１０又は１１の何れかの巨大分子の分析方法。
【請求項１３】
前記電気的に印加するステップ及び／又は取り除くステップは、前記輸送ナノチャネル内の規定された位置において、検体分子の光学検出によってトリガされる、
請求項１０乃至１２の何れかの巨大分子の分析方法。
【請求項１４】
前記電気的に印加するステップ及び／又は取り除くステップは、前記輸送ナノチャネル内の規定された位置における、イオン電流、トンネル電流、又は電界効果トランジスタの測定値を用いる検体分子の電気的な検出によってトリガされる、
請求項１０乃至１３の何れかの巨大分子の分析方法。
【請求項１５】
分析の為に、前記流体輸送ナノチャネル中、及び前記流体輸送ナノチャネルを介して、選択的に、各巨大分子を注入、捕獲、及び輸送する為に、前記バイアスを印加すること及び取り除くことの自動化されたサイクルを起こす為に、前記交差点の前に、前記流体輸送ナノチャネルの第１部分において、検体の通路に関連する電圧チャージを電気的に検出するステップを、更に含む、
請求項１０乃至１４の何れかの巨大分子の分析方法。
【手続補正２】
【補正対象書類名】明細書
【補正対象項目名】０１０２
【補正方法】変更
【補正の内容】
【０１０２】
上記は本発明の例示であり、それを限定するものとして解釈されてはならない。本発明の幾つかの例示的実施形態を記載したが、当業者は、それらの例示的実施形態において、本発明の新規教示及び利点から実質的に逸脱することなく多くの変形例が可能であることを容易に理解するであろう。従って、かかる変形例は全て、特許請求の範囲に定義される通りの本発明の範囲内に包含されることが意図される。本発明は以下の特許請求の範囲により定義され、ここで特許請求の範囲の均等物は特許請求の範囲に包含されるものとする。
〔付記１〕
少なくとも１つの流体輸送ナノチャネル、及び各流体輸送ナノチャネルの第１セグメント及び第２セグメントを規定する為に、前記少なくとも１つの流体輸送ナノチャネルの末端部の間の間隔に存在する交差点において、前記流体輸送ナノチャネルのセグメントの対向している側における２つの浅いセグメントを有する、少なくとも１つの流体ナノチャネルと、
各浅いセグメントに伝達する第１及び第２電極と、
前記流体輸送ナノチャネルの進入末端部に伝達する第１電極と、
前記流体輸送ナノチャネルの退出末端部に伝達する第２電極と、
制御して巨大分子を注入、獲得、及び輸送する為に、前記電極の動作を制御するように構成される回路であって、動作中に、前記第１及び第２セグメントは、巨大分子が平衡になるか又は低速で移動するように、前記巨大分子を捕獲する為にかなり異なる場の強さを有することができる、前記回路と、を備える、
ナノ流体の分析装置。
〔付記２〕
前記浅いセグメントは、より深いセグメントに併合し、前記流体輸送ナノチャネルに直交する、
付記１のナノ流体の分析装置。
〔付記３〕
前記浅いセグメントは、より深いセグメントに併合し、前記流体輸送ナノチャネルに並列である、
付記１又は２のナノ流体の分析装置。
〔付記４〕
前記少なくとも１つの流体輸送ナノチャネルにおける、流体分析のチップ及びＤＮＡ、ＲＮＡ、ペプチド、たんぱく質、又は他の生物学の分子、又は合成巨大分子を規定する為に、基材にシールされるカバー、を更に備える、
付記１乃至３の何れかのナノ流体の分析装置。
〔付記５〕
少なくとも１つの流体輸送ナノチャネルと、前記輸送ナノチャネルの第１セグメント及び第２セグメントを規定する為に、前記少なくとも１つの輸送チャネルにおける対向する第１及び第２末端部の間の間隔に存在する、前記輸送ナノチャネルを有する交差点において、前記少なくとも１つの流体輸送ナノチャネルの対向する側に当たっている、２つの統合された横断電極とを有しており、動作中に、前記第１及び第２セグメントは、かなり異なる場の強さを有する、装置。
〔付記６〕
前記かなり異なる場の強さを生成し、前記流体輸送ナノチャネル中、及び前記流体輸送ナノチャネルを介して、制御して巨大分子を注入、捕獲、及び輸送する為に、前記流体輸送ナノチャネルの前記第１及び第２末端部、及び、前記横断電極に、電圧を選択的に印加するように構成された、前記基材に少なくとも部分的に存在する、及び／又は前記基材に伝達する回路、を更に備える、付記５の装置。
〔付記７〕
少なくとも１つの流体輸送ナノチャネルを有している装置であって、前記少なくとも１つの流体輸送ナノチャネルは、（ｉ）前記流体輸送ナノチャネルを横切って互いに対向する第１及び第２セグメントを有し、各電極に各々伝達する少なくとも１つの流体ナノチャネル、又は、（ｉｉ）前記少なくとも１つの流体輸送ナノチャネルの対向している側に当っている２つの統合された横断電極、の一方を有する交差点を有しており、
前記交差点は、前記各流体輸送ナノチャネルの第１セグメント及び第２セグメントを規定する為に、前記少なくとも１つの流体輸送ナノチャネルにおける対向する末端部の間の間隔に存在する、前記装置と、
前記少なくとも１つの流体輸送ナノチャネルを介して、巨大分子を選択的に捕獲及び輸送する為に、電圧を前記電極に印加するように構成された電源を有する回路と、
を備えるナノ流体分析システム。
〔付記８〕
前記装置は、前記流体輸送ナノチャネルのセグメントを横切って互いに対向する第１及び第２セグメントを有しており、各電極に各々伝達する、前記少なくとも１つの流体ナノチャネルを備え、前記第１及び第２セグメントは、浅いセグメントである、
付記７のナノ流体分析システム。
〔付記９〕
前記第１及び第２セグメントは、幅広のセグメントである、
付記８のナノ流体分析システム。
〔付記１０〕
前記装置は、各交差点と組み合う複数の並列な流体輸送ナノチャネルを備える、
付記７乃至９の何れかのナノ流体分析システム。
〔付記１１〕
前記装置は、長軸方向に離れて間隔があいている複数の交差点を有する、少なくとも１つの流体輸送ナノチャネルを備え、各交差点は、（ｉ）前記流体輸送ナノチャネルを横切って互いに対向する第１及び第２セグメントを有し、各電極に各々伝達する流体ナノチャネル、又は、（ｉｉ）前記少なくとも１つの流体輸送ナノチャネルの対向している側に当っている２つの統合された横断電極、の一方を有している、
付記７乃至１０の何れかのナノ流体分析システム。
〔付記１２〕
装置に少なくとも１つの流体輸送ナノチャネルを提供するステップであり、前記流体輸送ナノチャネルは、（ｉ）前記輸送チャネルと流体連通する前記流体輸送ナノチャネルのセグメントを横切って互いに対向する第１及び第２セグメントを有し、各電極に各々伝達する少なくとも１つの流体ナノチャネル、又は、（ｉｉ）前記少なくとも１つの流体輸送ナノチャネルの対向している側に当っている第１及び第２の統合された横断電極、の一方を含む交差点を有する、ステップと、
前記流体輸送チャネルにおいて巨大分子を注入又は捕獲する為に、前記第１及び第２セグメント又は前記第１及び第２横断電極に、電気的にバイアスを印加するステップと、
全てのバイアスを電気的に取り除くことにより、前記巨大分子が平衡な配座において緩むステップと、
前記ナノチャネルを介する前記巨大分子の移行を制御する前記輸送ナノチャネルにのみバイアスを電気的に印加するステップと、
を含む巨大分子の分析方法。
〔付記１３〕
前記装置は、前記第１及び第２セグメントを有する前記少なくとも１つの流体ナノチャネルを備え、前記第１及び第２セグメントは、幅広、浅いセグメントである、
付記１２の巨大分子の分析方法。
〔付記１４〕
前記浅いセグメントは、より深いセグメントに併合し、前記流体輸送ナノチャネルに直交する、
付記１３の巨大分子の分析方法。
〔付記１５〕
前記浅いセグメントは、前記流体輸送チャネルに並列になっている、より深いセグメントに併合し、
付記１３又は１４の巨大分子の分析方法。
〔付記１６〕
前記装置は、流体分析のチップであり、前記巨大分子は、ＤＮＡ、ＲＮＡ、ペプチド、たんぱく質、又は他の生物学の分子、又は合成巨大分子である、
付記１２乃至１５の何れかの巨大分子の分析方法。
〔付記１７〕
前記電気的に印加するステップ及び取り除くステップは、タイミングアルゴリズム及び／又はタイミング回路の管理下で実行される、
付記１２乃至１６の何れかの巨大分子の分析方法。
〔付記１８〕
前記電気的に印加するステップ及び／又は取り除くステップは、前記輸送ナノチャネル内の規定された位置において、検体分子の光学検出によってトリガされる、
付記１２乃至１７の何れかの巨大分子の分析方法。
〔付記１９〕
前記電気的に印加するステップ及び／又は取り除くステップは、前記輸送ナノチャネル内の規定された位置における、イオン電流、トンネル電流、又は電界効果トランジスタの測定値を用いる検体分子の電気的な検出によってトリガされる、
付記１２乃至１８の何れかの巨大分子の分析方法。
〔付記２０〕
分析の為に、前記流体輸送ナノチャネル中、及び前記流体輸送ナノチャネルを介して、選択的に、各巨大分子を注入、捕獲、及び輸送する為に、前記バイアスを印加すること及び取り除くことの自動化されたサイクルを起こす為に、前記交差点の前に、前記流体輸送ナノチャネルの第１部分において、検体の通路に関連する電圧チャージを電気的に検出するステップを、更に含む、
付記１２乃至１９の何れかの巨大分子の分析方法。